(57)【要約】  本発明は、様々な電気化学分光法、容量検出技術、および電界放出検出技術を利用して、複数被検物を電気化学検出するためのナノ電極として個別アクセス可能ナノ構造を利用することに関する。１側面において本発明は、基板上にアレイ状に配置された少なくとも２つの個別アクセス可能ナノ構造を備えるデバイスと配置構造を提供する。他側面において本発明は、上記デバイス、チップホルダ、ハードウェア、ソフトウェア、を備えるシス手鵜を提供する。【選択図】図４【特許請求の範囲】
【請求項１】
基板（２０１）上のアレイ状に配置された少なくとも２つの個別アクセス可能ナノ構造（２０７）の配置構造であって、
前記基板（２０１）は非導電性であり、前記基板内には導電部（２０８）が存在しており、
前記導電部は、前記個別アクセス可能ナノ構造のアレイを形成する前記ナノ構造（２０７）との電気コンタクトを形成し、
前記ナノ構造（２０７）は、前記第１基板（２０１）の前記導電部（２０８）を介して、前記非導電基板（２０１）の第１面（２０２）上の導電パス（４０３）および第２基板（２０９）の導電構造（２１０）と個別接続されており、
前記ナノ構造（２０７）は媒質（３０００）でカバーされており、
前記少なくとも２つのナノ構造（２０７）間に電圧（９００）が印加されると、前記ナノ構造間に電場または電磁場が生成され、前記ナノ構造間にキャパシタンス（７００）が形成される
ことを特徴とする配置構造。
【請求項２】
前記電場により、前記ナノ構造間で荷電物質（８００）が移動する
ことを特徴とする請求項１記載の配置構造。
【請求項３】
各前記ナノ構造（２０７）はベースサイズ（２２１０）を有し、前記ベースサイズ（２２１０）は約１〜１，０００，０００ｎｍである
ことを特徴とする請求項１記載の配置構造。
【請求項４】
前記高さ（２２２０）は約１０〜１，０００，０００ｎｍである
ことを特徴とする請求項１記載の配置構造。
【請求項５】
前記ナノ構造（２０７）は、１以上のナノ材料で形成されている
ことを特徴とする請求項１記載の配置構造。
【請求項６】
前記ナノ構造（２０７）は、ナノチューブ、ナノファイバ、ナノロッド、ナノワイヤを含むグループから選択されている
ことを特徴とする請求項１記載の配置構造。
【請求項７】
前記ナノ構造（２０７）は、カーボンナノチューブ、カーボンナノファイバ、シリコンナノワイヤ、酸化亜鉛ナノロッド、を含むグループから選択されている
ことを特徴とする請求項１記載の配置構造。
【請求項８】
前記距離（２２１３）は、各ナノ材料間のギャップであり、１〜１００ｎｍである
ことを特徴とする請求項１記載の配置構造。
【請求項９】
前記少なくとも２つのナノ構造（２０７）は、距離（８００）で互いに分離されており、前記距離（８００）は１〜１０００００ｎｍである
ことを特徴とする請求項１記載の配置構造。
【請求項１０】
前記少なくとも２つのナノ構造は、基板の前記導電部によって正電荷または負電荷でチャージされる
ことを特徴とする請求項１記載の配置構造。
【請求項１１】
各ナノ材料は、１〜１００ｎｍのベースサイズ（２２１２）を有し、高さ（２２１１）は１〜１，０００，０００ｎｍである
ことを特徴とする請求項１記載の配置構造。
【請求項１２】
前記媒質（３０００）は、固体面または液体またはガスである
ことを特徴とする請求項１記載の配置構造。
【請求項１３】
前記媒質は、固定されまたは流れている
ことを特徴とする請求項１記載の配置構造。
【請求項１４】
前記媒質は、真空、空気、ガス混合物、ポリマ、セラミクス、ケイ素、半導体、金属、シリコーン、石英、雲母、テフロン、油、溶液、液体混合物を含むグループから選択されている
ことを特徴とする請求項１記載の配置構造。
【請求項１５】
前記媒質（３０００）は、前記ナノ構造の高さより少なくとも約１〜５０００００ｎｍ厚い
ことを特徴とする請求項１記載の配置構造。
【請求項１６】
前記電圧（９００）は、前記ナノ構造と外部電極との間に印加される
ことを特徴とする請求項２記載の配置構造。
【請求項１７】
前記外部電極の材料は、金属、複合材料、半導体、導電ポリマ、銀／塩化銀、を含むグループから選択されている
ことを特徴とする請求項１６記載の配置構造。
【請求項１８】
前記ナノ構造アレイは、一定電荷または電流によってチャージされる
ことを特徴とする請求項１記載の配置構造。
【請求項１９】
前記ナノ構造アレイは、交流電荷または電流によってチャージされる
ことを特徴とする請求項１記載の配置構造。
【請求項２０】
前記ナノ構造間にキャパシタンス（７００）が形成され、前記電場の方向は前記電圧（９００）の極性に依拠する
ことを特徴とする請求項１記載の配置構造。
【請求項２１】
前記媒質はさらに、前記媒質（３０００）内の被検物（６００）を含む
ことを特徴とする請求項１記載の配置構造。
【請求項２２】
前記被検物のサイズは１オングストロームから１ｍｍであり、望ましくは１ｎｍから１０００ｎｍであり、最も望ましくは１オングストロームから１０ｎｍである
ことを特徴とする請求項２１記載の配置構造。
【請求項２３】
前記被検物は、イオン、細胞、ナノ粒子ＤＮＡ，ＲＮＡ，生体分子、ポリマ、セラミクス、金属、ガス、バクテリア、ウイルス、蒸気、毒物を含むグループから選択されている
ことを特徴とする請求項２１記載の配置構造。
【請求項２４】
前記被検物は化学物質であることを特徴とする請求項２１記載の配置構造。
【請求項２５】
前記化学物質は、前記媒質内の前記被検物によって生じる電気化学的変化またはインピーダンス変化により、電気化学分光法を用いて検出される
ことを特徴とする請求項２４記載の配置構造。
【請求項２６】
前記被検物は、前記被検物によって生じる前記媒質内の誘電係数変化により、容量変化を用いて検出することができる化学物質である
ことを特徴とする請求項２４記載の配置構造。
【請求項２７】
前記被検物は、前記媒質の特性変化によって生じる電界放出によって前記被検物がイオン化されるときの電界放出検出法を用いて検出することができる化学物質である
ことを特徴とする請求項２４記載の配置構造。
【請求項２８】
基板（２０１）上のアレイ状に配置された少なくとも２つの個別アクセス可能ナノ構造（２０７）を備えるデバイスであって、
前記基板（２０１）は非導電性であり、前記基板内に導電部（２０８）を有し、
前記導電部は、前記個別アクセス可能ナノ構造のアレイを形成する前記ナノ構造（２０７）との電気コンタクトを形成し、
前記ナノ構造（２０７）は、前記第１基板（２０１）の前記導電部（２０８）を介して、前記非導電基板（２０１）の第１面（２０２）上の導電パス（４０３）および第２基板（２０９）の導電構造（２１０）と個別接続されており、
前記ナノ構造（２０７）は媒質（３０００）でカバーされており、
前記少なくとも２つのナノ構造（２０７）間に電圧（９００）が印加されると、前記ナノ構造間に電場または電磁場が生成され、前記ナノ構造間にキャパシタンス（７００）が形成される
ことを特徴とするデバイス。
【請求項２９】
前記電場により、前記ナノ構造間で荷電物質（８００）が移動する
ことを特徴とする請求項２８記載のデバイス。
【請求項３０】
前記アレイのうち少なくとも１つの前記ナノ構造（２０７）は第１電荷でチャージされ、前記アレイのうち少なくとも第２の前記ナノ構造（２０７）は第２電荷でチャージされる
ことを特徴とする請求項２８記載のデバイス。
【請求項３１】
前記ナノ構造の第１セットと第２セットとの間の電気的相互作用により第１電気信号が生じ、
外部刺激または前記媒質（３０００）内の被検物（６００）の存在により前記電場が変化する
ことを特徴とする請求項２８記載のデバイス。
【請求項３２】
前記ナノ構造の第１セットと第２セットとの間の電気的相互作用により第１電気信号が生じ、
外部刺激または前記媒質（３０００）内の被検物（６００）の存在により前記キャパシタンス（７００）が変化する
ことを特徴とする請求項２８記載のデバイス。
【請求項３３】
前記ナノ構造の第１セットと第２セットとの間の電気的相互作用により第１電気信号が生じ、
外部刺激または前記媒質（３０００）内の被検物（６００）の存在により前記２つのナノ構造間で荷電物質の流れが変化し、これにより第２電気信号が生じる
ことを特徴とする請求項２８記載のデバイス。
【請求項３４】
前記ナノ構造からの前記第１および前記第２電気信号を、前記デバイス（３００）に接続された外部回路を用いて、電気化学検出のためのセンサ信号として利用する
ことを特徴とする請求項３１から３３のいずれか１項記載のデバイス。
【請求項３５】
前記ナノ構造からの前記第１および前記第２電気信号を、前記デバイス（３００）に接続された外部回路を用いて、容量検出のためのセンサ信号として利用する
ことを特徴とする請求項３１から３３のいずれか１項記載のデバイス。
【請求項３６】
前記ナノ構造からの前記第１および前記第２電気信号を、前記デバイス（３００）に接続された外部回路を用いて、電界放出ベース検出のためのセンサ信号として利用する
ことを特徴とする請求項３１から３３のいずれか１項記載のデバイス。
【請求項３７】
前記デバイスは、電気化学センサアレイ、容量センサアレイ、および／または電界放出センサアレイとして用いることができる
ことを特徴とする請求項２８記載のデバイス。
【請求項３８】
前記ナノ構造は、前記媒質（３０００）内の被検物（６００）の電気化学検出のためのナノ電極アレイとして動作し、
前記配置構造は、容量検出デバイスとして用いられ、前記ナノ構造は、前記媒質（３０００）内の被検物（６００）の容量検出のためのナノ電極アレイとして動作し、
前記配置構造は、電界放出ベース検出デバイスとして用いられ、前記ナノ構造は、前記媒質（３０００）内の被検物（６００）の電界放出ベース検出のためのナノ電極アレイとして動作する
ことを特徴とする請求項３７記載のデバイス。
【請求項３９】
前記ナノ構造は機能化されていることを特徴とする請求項２８記載のデバイス。
【請求項４０】
前記機能化は、共有結合機能化、表面吸着、電気重合、または電気化学積層によって実施されている
ことを特徴とする請求項３９記載のデバイス。
【請求項４１】
前記ナノ構造の機能化により、前記ナノ構造の電荷が増加する
ことを特徴とする請求項３９記載のデバイス。
【請求項４２】
前記ナノ構造の機能化により、複数被検物の同時検出機能が向上する
ことを特徴とする請求項３９記載のデバイス。
【請求項４３】
前記絶縁層の前記導電部は、光起電性である（２０８）
ことを特徴とする請求項２８記載のデバイス。
【請求項４４】
前記導電部（２０８）は、前記材料が光にさらされると電力を生成する
ことを特徴とする請求項４３記載のデバイス。
【請求項４５】
光にさらすことにより、電磁波からエナジーハーベスティングを実施して、自己給電デバイスとして電力を生成する
ことを特徴とする請求項４４記載のデバイス。
【請求項４６】
請求項２８記載の前記デバイス（３００）とチップホルダ（４４０１）を備える
ことを特徴とするシステム。
【請求項４７】
前記チップホルダ（４４０１）は、前記ナノ構造アレイデバイス（３００）との少なくとも１つの電気コンタクトを提供する
ことを特徴とする請求項４６記載のシステム。
【請求項４８】
前記チップホルダ（４４０１）は、前記ナノ構造アレイ（２０７）周辺の媒質（３０００）の微小流体素子を提供する
ことを特徴とする請求項４６記載のシステム。
【請求項４９】
前記チップホルダ（４４０１）は、外部ハードウェア（４４０２）の電気的接続を提供する
ことを特徴とする請求項４６記載のシステム。
【請求項５０】
前記外部ハードウェア（４４０２）は、データ取得および信号生成ハードウェア電子部品を備える
ことを特徴とする請求項４９記載のシステム。
【請求項５１】
前記ハードウェア（４４０２）は、有線接続または無線接続を用いてソフトウェア（４４０３）と接続され、
前記ソフトウェア（４４０３）は、前記デバイス（３００）が生成したデータを処理する
ことを特徴とする請求項４９記載のシステム。
【請求項５２】
システム（４０００）であって、ナノ構造アレイ検出デバイス（３００）、チップホルダ（４４０１）、ハードウェア（４４０２）、およびソフトウェア（４４０３）を備える
ことを特徴とするシステム。
【請求項５３】
請求項４６記載の前記システムを用いて細胞をモニタし、検出し、または操作する
ことを特徴とする方法。
【請求項５４】
細胞の操作は細胞穿孔を含み、
前記ナノ構造８２０７）を用いて細胞膜（１４０１）に対して電荷を供給し、
前記電荷により前記細胞に対して衝撃が加えられ、
前記電荷を供給するために用いた前記ナノ構造（２０７）の特定位置において前記細胞膜が開口（１４０４）する
ことを特徴とする請求項５３記載の方法。
【請求項５５】
細胞内または細胞周辺の１以上の化学物質および／または被検物を検出し、
前記化学物質および被検物の検出は、電気化学検出技術、容量検出技術、および電界放出検出技術を用いた、細胞内被検物計測、細胞膜越しの電位および被検物計測、細胞の微小環境内における被検物計測、を含む
ことを特徴とする請求項５３または５４記載の方法。
【請求項５６】
機能化ナノ構造（５２０７）を用いて、電気穿孔により前記細胞にダメージを与えることなく、化学物質を細胞内に供給し、
前記ナノ構造の機能化グループを前記細胞内に供給する
ことを特徴とする請求項５３または５４記載の方法。
【請求項５７】
細胞モニタリングは、電気化学検出、容量検出、または電界放出検出を用いた、細胞の移動のモニタリング、化学物質および被検物の排出と収取のモニタリング、を含み、
前記細胞は、媒質（３０００）内で分離された単一細胞、媒質内の培養細胞のなかの単一細胞、または他の複数細胞と相互作用する細胞である
ことを特徴とする請求項５３記載の方法。
【請求項５８】
前記細胞の検出は化学物質と被検物の検出を含み、前記化学物質と被検物は前記媒質（３０００）内の単一細胞の微小環境内に存在しており、
個別アクセス可能ナノ構造を用いて、前記単一細胞の細胞膜の化学的活動を空間分解能で検出し、前記細胞は生体内または試験管内に配置されている
ことを特徴とする請求項５３記載の方法。
【請求項５９】
請求項４６記載の前記システムを用いて複数被検物を検出することを特徴とする方法。
【請求項６０】
複数被検物を同時検出することを特徴とする請求項５９記載の方法。
【請求項６１】
複数被検物をリアルタイムで検出することを特徴とする請求項５９記載の方法。
【請求項６２】
電気化学分光法、容量検出、または電界放出検出のうちいずれか１以上を用いて検出を実施する
ことを特徴とする請求項５９記載の方法。
【請求項６３】
前記被検物のサイズを判定することを特徴とする請求項５９記載の方法。
【請求項６４】
前記被検物の濃度を検出することを特徴とする請求項５９記載の方法。
【請求項６５】
前記システムはさらに、リモートコンピュータおよびデータストレージを備える
ことを特徴とする請求項４６記載のシステム。
【請求項６６】
前記システムはデータ分析を実施することを特徴とする請求項６５記載のシステム。
【請求項６７】
複数システムからのデータを同時分析する
ことを特徴とする請求項６５記載のシステム。
【発明の詳細な説明】
【技術分野】
【０００１】
＜関連出願＞
本発明は、２０１６年３月３０日に出願された米国仮出願６２／３１５，６０９号の優先権を主張する。同文献の全内容は参照により本願に組み込まれる。
【０００２】
本発明は、電気化学分光法、容量技術、および電界放出技術を用いて被検物を検出するための個別にアクセス可能なアレイ形式のナノ構造を備える電気デバイスに関する。同デバイスを用いて、細胞を操作し、モニタし、検出することができる。同デバイスは、高解像度電気化学カメラとして用いることもできる。
【背景技術】
【０００３】
電気化学分光法は、液体内の（特に溶液内の）化学物質をモニタする強力な技術である。これは生体検出においてよく用いられる。電気化学分光法は様々な技術を含み、これにはボルタンメトリー、アンペロメトリー、サイクリックボルタンメトリー、高速スキャンボルタンメトリー、電気化学インピーダンススペクトロスコーピー、ストリッピングボルタンメトリー、などが含まれる。電気化学測定においては、様々なサイズ、形状、材質の電極を利用して、信号対ノイズ比を向上させる。電極のサイズが小さく表面積が大きいほうが望ましい。感度がより高まるからである。個別にアクセス可能なナノ構造のアレイは、高感度、高速、複数被検物の電気化学分光法を実施するための電極として最良の手段である。このアレイ構造はＷＯ２０１３００１０７６に記載されており、同文献は参照により本願に組み込まれる。このようなナノ構造を小空間にパックして、様々な検出用途において高空間分解能かつ高感度の機能を提供することができる。このナノ構造は、様々な化学物質によって機能化することができる。ＷＯ２０１３１３２３５２はその例を記載しており、同文献は参照により本願に組み込まれる。このデバイスを用いて独自の検出方式を実施することができるとともに、化学的組成に基づき物質を撮像する電気化学カメラを実現することができる。
【０００４】
研究者は容量検出を用いて、固体／液体／ガス内のガスや被検物を検出する場合もある。キャパシタ電極のサイズと機能化により、被検物の検出方法の感度と選択性が決定される。被検物がキャパシタまたはスーパーキャパシタの電極間に到達すると、システムのキャパシタンスを変化させ、これを測定することができる。これは被検物のサイズを検出する強力な技術である。したがってデバイスにおいて容量トモグラフィーを採用することもできる。
【０００５】
さらに、電界放出ベースでガスおよびガス内の不純物を検出することは、上述のナノ構造アレイを用いて実施することができる。ナノ構造を備える２つの電極間に電圧が印加されると、電界放出（空気または真空を介して電子が一方の電極から他方へ移動する）が生じる。ガス分子または不純物または被検物が電極間に到達すると、ガスその他物質のイオン化が生じ、電界放出電流を変化させる。この変化は、適当な電子部品とソフトウェアを用いて検出することができる。電極の材質、電極間距離、および印加電圧は、この方法の感度に寄与する要因である。
【０００６】
現在のところ、電極はいずれも大きく、あるいは複合ナノ材料電極は表面に結合しないように形成される。したがって電極は、電気化学測定の間に剥がれる傾向がある。さらに、容量検出のために緊密にパックした電極を形成することは困難であり、その製造も困難である。電界放出デバイスを形成する際にも同様の問題が生じる。これらが離れすぎると、空気中のアークにより、空気中の電界放出を実施することは困難である。ただし電極が十分に接近しており、空気分子の平均自由行程が電極間距離に相当していれば、電界放出デバイスを実現することができる。したがって当該分野において、電界放出デバイスを改善するニーズが存在する。
【発明の概要】
【課題を解決するための手段】
【０００７】
本発明は、様々な電気化学分光法、容量技術、および電界放出技術を利用して複数被検物を電気化学検出するナノ電極として、個別アクセス可能なナノ構造を利用する新規かつ進歩性ある方法に基づいている。ナノ構造の材料はカーボンナノチューブを含み、これは優れた電気的、熱的、機械的特性を有する。
【０００８】
第１側面において本発明は、基板（２０１）上のアレイにおける少なくとも２つの個別アクセス可能ナノ構造（２０７）の配置構造を提供する。前記基板（２０１）は非導電性であり、前記基板内には導電部（２０８）が存在し、前記導電部は、アレイ内の前記個別アクセス可能ナノ構造を形成する前記ナノ構造（２０７）との電気コンタクトを形成し、前記ナノ構造（２０７）は、前記第１基板（２０１）の前記導電部（２０８）を介して、前記非導電基板（２０１）の前記第１面（２０２）上の導電パス（４０３）および第２基板（２０９）の導電構造（２１０）と個別接続され、前記ナノ構造（２０７）は媒質（３０００）でカバーされ、前記少なくとも２つのナノ構造（２０７）間に電圧（９００）が印加されると、前記ナノ構造間に電場または電磁場が生じ、前記ナノ構造間にキャパシタンス（７００）が形成される。
【０００９】
１実施形態において、電場によりナノ構造間で荷電物質（８００）が移動する。１実施形態において、各ナノ構造（２０７）はベースサイズ（２２１０）を有し、前記ベースサイズ（２２１０）は約１〜１，０００，０００ｎｍの範囲である。１実施形態において、高さ（２２２０）は約１０〜１，０００，０００ｎｍの範囲である。１実施形態において、前記ナノ構造（２０７）は１以上のナノ材料を含む。１実施形態において、前記ナノ構造（２０７）は以下のグループから選択されている：ナノチューブ、ナノファイバ、ナノロッド、ナノワイヤ。１実施形態において、前記ナノ構造（２０７）は以下から選択されている：カーボンナノチューブ、カーボンナノファイバ、シリコンナノワイヤ、酸化亜鉛ナノロッド。１実施形態において、距離（２２１３）は各ナノ材料間のギャップであり、１〜１００ｎｍの範囲である。１実施形態において、前記少なくとも２つのナノ構造（２０７）は、距離（８００）によって分離されており、前記距離（８００）は１〜１０００００ｎｍの範囲である。１実施形態において、前記少なくとも２つのナノ構造は、基板の導電部によって正電荷または負電荷にチャージされる。１実施形態において、各ナノ構造は１〜１００ｎｍのベースサイズ（２２１２）と１〜１，０００，０００ｎｍの高さ（２２１１）を有する。１実施形態において、前記媒質（３０００）は固体表面または液体またはガスである。１実施形態において、前記媒質は固定され、または流れている。１実施形態において、前記媒質は以下のグループから選択されている：真空、空気、ガス混合物、ポリマ、セラミクス、ケイ素、半導体、金属、シリコーン、石英、雲母、テフロン（登録商標）、油、溶液、混合液。１実施形態において、前記媒質（３０００）は前記ナノ構造の高さよりも少なくとも約１〜５０００００ｎｍ厚い。１実施形態において、前記電圧（９００）は前記ナノ構造と外部電極との間に印加される。１実施形態において、前記外部電極の材料は以下のグループから選択されている：金属、複合材料、半導体、導電ポリマ、銀／塩化銀。１実施形態において、前記ナノ構造アレイは一定電荷または電流によってチャージされる。１実施形態において、前記ナノ構造アレイは交流電荷または電流によってチャージされる。１実施形態において、キャパシタンス（７００）は前記ナノ構造間に形成され、前記電場の方向は前記電圧（９００）の極性に依拠する。１実施形態において、前記媒質はさらに、前記媒質（３０００）内の被検物（６００）を含む。他実施形態において、前記被検物は前記媒質内の不純物を含む。１実施形態において、前記被検物のサイズは１オングストロームから１ｍｍであり、望ましくは１ｎｍから１０００ｎｍであり、最も望ましくは１オングストロームから１０ｎｍである。１実施形態において、前記被検物は以下のグループから選択されている：イオン、細胞、ナノ粒子ＤＮＡ、ＲＮＡ、生体分子、ポリマ、セラミクス、金属、ガス、バクテリア、ウイルス、蒸気、毒素。１実施形態において前記被検物は化学物質である。１実施形態において前記化学物質は、前記媒質内の前記被検物によって生じる電気化学的変化またはインピーダンス変化により、電気化学分光法を用いて検出される。１実施形態において、前記被検物は化学物質であり、前記被検物によって生じる前記媒質内の誘電率変化によるキャパシタンス変化を用いて検出される。１実施形態において、前記被検物は化学物質であり、前記被検物がイオン化されて前記媒質の特性を変化させることにより、電界放出検出を用いて検出される。
【００１０】
他側面において、本発明はデバイス（３００）を提供する。デバイス（３００）は、基板（２０１）上のアレイ状の少なくとも２つの個別アクセス可能ナノ構造（２０７）を備え、前記基板（２０１）は非導電性であるとともに導電部（２０８）を備え、前記導電部は、アレイ内の前記個別アクセス可能ナノ構造を形成する前記ナノ構造（２０７）との電気コンタクトを形成し、前記ナノ構造（２０７）は、前記第１基板（２０１）の前記導電部（２０８）を介して、前記非導電基板（２０１）の前記第１面（２０２）上の導電パス（４０３）および第２基板（２０９）の導電構造（２１０）と個別接続され、前記ナノ構造（２０７）は媒質（３０００）によってカバーされ、前記少なくとも２つのナノ構造（２０７）間に電圧（９００）が印加されると、前記ナノ構造間に電場または電磁場が生成され、前記ナノ構造間にキャパシタンス（７００）が形成される。
【００１１】
１実施形態において、前記電場により前記ナノ構造間で荷電物質（８００）が移動する。１実施形態において、前記アレイ内の少なくとも１つのナノ構造（２０７）は第１電荷でチャージされ、前記アレイ内の第２ナノ構造（２０７）は第２電荷でチャージされる。１実施形態において、ナノ構造の第１セットと第２セットとの間の電気的作用により第１電気信号が生じ、外部刺激または前記媒質（３０００）内に被検物（６００）が存在することにより前記電場が変化する。１実施形態において、ナノ構造の前記第１セットと前記第２セットとの間の前記電気的作用により第１電気信号が生じ、外部刺激または前記媒質（３０００）内に被検物（６００）が存在することにより前記キャパシタンス（７００）が変化する。１実施形態において、ナノ構造の前記第１セットと前記第２セットとの間の前記電気的作用により第１電気信号が生じ、外部刺激または前記媒質（３０００）内に被検物（６００）が存在することにより前記２つのナノ構造間で前記荷電物質の流れが変化し、これにより第２電気信号が生じる。他実施形態において、前記被検物（６００）は前記媒質内の不純物を含む。１実施形態において、前記ナノ構造からの前記第１および前記第２信号は、前記デバイス（３００）に接続された外部回路を用いて、電気化学検出のための特殊なセンサ信号として利用することができる。１実施形態において、前記ナノ構造からの前記第１および前記第２信号は、前記デバイス（３００）に接続された外部回路を用いて、容量検出のための特殊なセンサ信号として利用することができる。１実施形態において、前記ナノ構造からの前記第１および前記第２信号は、前記デバイス（３００）に接続された外部回路を用いて、電界放出ベース検出のための特殊なセンサ信号として利用することができる。１実施形態において、いずれかの側面または実施形態における前記デバイスは、電気化学、容量、および／または電界放出センサアレイとして用いることができる。１実施形態において前記ナノ構造は、前記媒質（３０００）内の被検物（６００）の電気化学検出のためのナノ電極アレイとして動作し、前記配置構造は容量検出デバイスとして用いられ、前記ナノ構造は前記媒質（３０００）内の被検物（６００）の容量検出のためのナノ電極アレイとして動作し、前記配置構造は電界放出ベース検出デバイスとして用いられ、前記ナノ構造は前記媒質（３０００）内の被検物（６００）の電界放出ベース検出のためのナノ電極アレイとして動作する。他実施形態において、前記被検物（６００）は前記媒質内の不純物を含む。１実施形態において、前記ナノ構造は機能化されている。１実施形態において前記機能化は、共有結合機能化、表面吸着、電気重合、または電気化学積層によって実施される。１実施形態において、前記ナノ構造の前記機能化により、前記ナノ構造上の荷電が促進される。１実施形態において、前記ナノ構造の前記機能化により、複数被検物の同時検出が促進される。１実施形態において前記機能化は、化学的機能化および／または共有結合機能化、表面吸着、電気化学積層によって実施され、これにより複数被検物の同時検出が促進される。１実施形態において、前記絶縁層の前記導電部は光起電性（２０８）である。１実施形態において、前記導電部（２０８）は光にさらされると電気を生成する。１実施形態において、光にさらすことにより、自己給電デバイスは電磁場から電力のエナジーハーベスティングを実施することができる。
【００１２】
他実施形態において、本発明はシステム（４０００）を提供する。システム（４０００）は、上述のいずれかの側面または実施形態に係るデバイス（３００）と、チップホルダ（４４０１）を備える。１実施形態において前記チップホルダ（４４０１）は、前記ナノ構造アレイデバイス（３００）との少なくとも１つの電気コンタクトを提供する。１実施形態において前記チップホルダ（４４０１）は、前記ナノ構造アレイ（２０７）周辺における媒質（３０００）の微小流体素子を提供する。１実施形態において前記チップホルダ（４４０１）は、外部ハードウェア（４４０２）との電気接続を提供する。１実施形態において、前記外部ハードウェア（４４０２）は、データ取得および信号生成ハードウェア電子部品を備える。１実施形態において、前記ハードウェア（４４０２）は有線または無線接続を用いてソフトウェア（４４０３）と接続され、前記ソフトウェア（４４０３）は前記デバイス（３００）が生成したデータを処理する。
【００１３】
他側面において、本発明はシステム（４０００）を提供し、システム（４０００）はナノ構造アレイ検出デバイス（３００）、チップホルダ（４４０１）、ハードウェア（４４０２）、ソフトウェア（４４０３）を備える。
【００１４】
１実施形態において、前記システムは高い検出効率で複数被検物を同時検出することができ、複数の検出方式、大面積ナノ電極アレイ、電子部品、およびソフトウェアアルゴリズムを用いて検出を改善する。
【００１５】
他実施形態において本発明は、上述のいずれかの側面または実施形態に係るシステムを用いて、細胞をモニタし、検出し、または操作する方法を提供する。１実施形態において、細胞操作は細胞に穴を開けることを含み、前記ナノ構造（２０７）を用いて細胞膜（１４０１）に対して電荷を供給し、前記電荷により前記細胞に対して衝撃が与えられ、前記電荷を供給するために用いる前記ナノ構造（２０７）の特定の場所において前記細胞膜が開口（１４０４）する。１実施形態において、細胞内および細胞周辺における１以上の化学物質および／または被検物が検出され、化学物質と被検物の検出は、細胞内被検物計測、細胞膜越しの電位および被検物計測、電気化学技術／容量技術／電界放出技術を用いた細胞の微小環境における被検物計測を含む。１実施形態において、機能化ナノ構造（５２０７）を用いて、エレクトロポレーションによる細胞ダメージなしで細胞内に化学物質を供給し、前記ナノ構造上の機能グループを細胞内に供給する。１実施形態においてセルモニタリングは、細胞の動きのモニタリング、電気化学検出、容量検出、および電界放出検出を用いた化学物質と被検物の排出および収取のモニタリングを含み、前記細胞は媒質（３０００）内で分離された単一細胞、媒質内の培養細胞のうちの単一細胞、または他細胞と作用する細胞である。１実施形態において、細胞検出は化学物質と被検物の検出を含み、前記化学物質と被検物は前記媒質（３０００）内の単一細胞の微小環境に含まれており、前記単一細胞膜の化学的動作は個別アクセス可能ナノ構造を用いて空間分解能で検出され、前記細胞は生体内または試験管内に配置されている。
【００１６】
他実施形態において本発明は、上述のいずれかの側面または実施形態に係るシステムを用いて複数被検物を検出する方法を提供する。１実施形態において、複数被検物は同時検出される。１実施形態において、複数被検物はリアルタイムで検出される。１実施形態において検出は、電気化学分光法、容量検出、または電界放出検出のうちいずれか１以上を用いて実施される。１実施形態において、前記被検物のサイズが判定される。１実施形態において、前記被検物の濃度が検出される。１実施形態において、前記システムはさらに、リモートコンピュータおよびデータストレージを備える。１実施形態において、前記システムはさらに、データ分析を実施する。１実施形態において、複数システムからの前記データ分析を同時に実施する。
【００１７】
他実施形態においてデータ取得は、データ取得／接続ポート、増幅器／アナログ回路、ＡＤＣ、マイクロコントローラ、通信ポータルを含み、信号生成ハードウェアは、入力設定変数、マイクロコントローラ、デジタルポテンショメータ、増幅器／アナログ  回路／バッファ、出力ポート／コネクタを含む。他実施形態においてデータ処理ソフトウェアは、上記デバイスが生成したデータを処理し、以下の生データ操作処理のうち少なくとも１つを含み、生データのグラフ表現は機械学習アルゴリズムを利用し、新データを学習済データまたはデータベース内のデータと比較し、データの分析出力を生成する。
【００１８】
１実施形態において、上述のいずれかの側面または実施形態に係るデバイスは、電気化学分光法、容量検出法、または電界放出検出法を用いて、液体、ガス、表面、膜上の被検物の化学的組成を撮像する電気化学カメラとして用いることができる。１実施形態において、上述のいずれかの側面または実施形態に係るデバイスおよび／またはシステムは、リモートコンピュータ（クラウド）と接続することができ、複数のシステムやデバイスからのデータを同時に分析して複数システムからのデータを比較し、エコシステムのスナップショットを生成する。
【図面の簡単な説明】
【００１９】
【図１】本願の実施形態に基づきＷＯ２０１３００１０７６に記載されているナノ構造を備えるデバイスを製造する方法の概略を記述したフローチャートを示す。
【図２】デバイスの拡大断面図を示す。各図は図１の方法に係る製造プロセスのステージに対応する。
【図３】本発明に係るデバイスの実施形態の斜視図を示す。
【図４】本発明に係るデバイスの実施形態の側断面図を示す。
【図５】図４ａ〜ｃを示す。
【図６】本文書の実施形態が記載するシステム（４０００）を形成するチップホルダ（４４０１）、ハードウェア（４４０２）、ソフトウェア（４４０３）のフローチャートを示す。
【図７】異なる電荷を有する２つの隣接するナノ構造の詳細を示す。
【図８】個別アクセス可能ナノ構造アレイと、各ナノ構造が機能グループによってどのように機能化されるかを示す。
【図９】ナノ構造アレイベースデバイスの断面図と上面図を示す。ナノ構造は不純物（８００）を含む媒質（３００）でカバーされ、各ナノ構造は異なる電荷でチャージされている。
【図１０】チップホルダ（４４０１）内のナノ構造アレイデバイス（３０００）を有するシステム（４０００）を示す。チップホルダ（４４０１）はハードウェア（４４０２）と接続され、ハードウェアはコンピュータ上またはモバイルデバイス上のソフトウェア（４４０３）と接続されている。
【図１１】実世界においてデバイス（４０００）を実現した例を示す。
【図１２】電気化学カメラとしてのデバイス（４０００）を示す。
【図１３】被検物（６００）と荷電物質（８００）を含む媒質（３００）内の様々なグループで機能化された荷電ナノ構造アレイを示す。
【図１４】媒質内のナノ構造アレイ上の細胞を示す。細胞は操作およびモニタされ、被検物と細胞が検出される。
【図１５Ａ】様々な形状とサイズを有するカーボンナノチューブ（ＣＮＴ）を備えるナノ構造の走査電子（ＳＥＭ）マイクログラフを示す。
【図１５Ｂ】様々な形状とサイズを有するカーボンナノチューブ（ＣＮＴ）を備えるナノ構造の走査電子（ＳＥＭ）マイクログラフを示す。
【図１６】酸化亜鉛ナノロッドで機能化したＣＮＴナノ構造のＳＥＭマイクログラフを示す。
【図１７】隣接するナノ構造間で反対の電圧を印加してナノ構造間で電界放出（７０１）するナノ構造アレイを示す。
【図１８】実験において２つのナノ構造間の電界放出を用いてブリーズを検出したグラフを示す。
【図１９】他実験において２つのナノ構造間の電界放出を用いてブリーズを検出したグラフを示す。
【発明を実施するための形態】
【００２０】
本発明は、様々な電気化学分光法、容量技術、および電界放出技術を利用して複数の被検物を電気化学検出するナノ電極として、個別アクセス可能ナノ構造アレイを利用する、新規かつ進歩性ある方法に基づく。
【００２１】
明示しない限り、本発明とともに用いる科学的および技術的用語は、当業者が共通的に理解する意味を有する。ただし用語の意味と範囲は、潜在的に不明確となり得る場合においては、辞書上のまたは外的定義に代わって本明細書の定義を用いる。さらに、文脈によって必要でない限りは、単数形は複数を含み、複数形は単数を含む。本願において、明示しない限り、“または”は“および／または”を意味する。さらに、用語“含む”や“含んでいる”“含まれている”は、非限定的なものである。また、“要素”や“部品”などの用語は、明示しない限り、１つのユニットを備える要素や部品を包含するとともに、２以上のサブユニットを備える要素や部品を包含する。
【００２２】
本明細書と特許請求範囲における不定冠詞“ａ”と“ａｎ”は、明示しない限り、“少なくとも１つ”を意味する。
【００２３】
範囲を示した場合はそのなかの個々の数値を含む。したがって例えば、１００ｎｍの範囲は、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、または１００ｎｍを意味する。
【００２４】
明示しない限り、１以上のステップまたは動作を含む特許請求範囲の方法において、ステップまたは動作の順序は、記載する順序に限定されないことを理解されたい。
【００２５】
理想的実施形態の概略を示す図面を参照して、実施形態を説明する。したがって、例えば製造技術および／または公差に起因する図面の形状のばらつきが含まれる場合がある。
【００２６】
本発明は、新規かつ進歩性あるデバイス（３００）を提供する。デバイス（３００）は、ナノ構造（２０７）を備える。ナノ構造（２０７）は、導電部（２０８）を有する第１非導電基板（２０１）上にアレイ状に配置されており、ナノ構造（２０７）は、第１基板（２０１）の導電部（２０８）を介して、導電パス（４０３）と第２基板（２０９）の導電構造（２１０）に個別接続されており、デバイス（３００）は電気化学センサアレイとして用いられ、ナノ構造は媒質内の被検物の電気化学検出のためのナノ電極アレイとして動作し；デバイス（３００）は容量検出デバイスとして用いられ、ナノ構造は媒質内の被検物の容量検出のためのナノ電極アレイとして動作し；デバイス（３００）は電界放出ベース検出デバイスとして用いられ、ナノ構造は媒質内の被検物の電界放出ベース検出のためのナノ電極アレイとして動作する。
【００２７】
本発明は、デバイス（３００）、チップホルダ（４４０１）デバイスを備えるシステムを提供する。チップホルダ（４４０１）は少なくとも、ナノ構造アレイデバイス（３００）との電気コンタクト、ナノ構造アレイ周辺のガスまたは液体の微小流体素子、ハードウェア（４４０２）のための外部電気接続を提供する。ハードウェア（４４０２）は、データ取得および信号生成ハードウェアを備える。データ取得は、データ取得、接続ポート、増幅器、アナログ回路、ＡＤＣ、マイクロコントローラ、通信ポータルを含む。信号生成ハードウェアは、入力設定変数、マイクロコントローラ、デジタルポテンショメータ、増幅器、アナログ回路、バッファ、出力ポート、コネクタを備える。
【００２８】
１実施形態において、データ処理ソフトウェア（４４０３）は、デバイス（３００）が生成したデータを処理し、以下の生データ操作処理のうち少なくとも１つを含み、生データをグラフ化し、機械学習アルゴリズムを利用し、新データを学習済データまたはデータベース内のデータと比較し、データの分析出力を生成する。
【００２９】
本明細書のナノ構造アレイ検出デバイス、チップホルダデバイス、ハードウェア、データ処理ソフトウェアを備えるシステム（４０００）を利用して、例えば電気化学検出、容量検出、および電界放出検出を実施する。
【００３０】
本デバイスを用いて、容量検出を実施することができる。大表面積、小電極サイズ、電極間の小ギャップにより、チャージされるとスーパーキャパシタとして動作するからである。
【００３１】
本デバイスは、電界放出ベース検出デバイスとして用いることができる。基板上にナノ構造が近接配置されるとともに、ナノ構造がカーボンナノチューブ、炭化ケイ素ナノワイヤなどの材料で形成されて優れた電界放出特性を有するからである。
【００３２】
本デバイスは、個別アクセス可能電極のナノ構造ベースアレイを有する。電極はチップホルダと統合され、チップホルダはナノ構造アレイに対する電気接続を提供するとともに、微小流体素子を提供して固体／液体／ガスがナノ構造アレイと接して作用するようにする。チップホルダは、例えばマルチチャネルポテンショスタットなどのハードウェアを搭載している。ポテンショスタットは、信号を生成し、ナノ構造アレイからデータを取得し、そのデータを有線または無線でソフトウェアに対して送信する。本デバイスはさらに、データを受信し、リアルタイムでグラフ化し、データを分析してレポートを提供するソフトウェアを備える。ソフトウェアは機械学習が可能であり、人工知能アルゴリズムを用いて、ナノ構造アレイからのデータの正確な分析を提供する。
【００３３】
本デバイスは、固体表面上、液体溶液内、またはガス内における化学物質の複数被検物検出システムとして用いることができる。本デバイスを用いて、分子、イオン、ＤＮＡ、ＲＮＡ、タンパク質、ナノ粒子、細胞、細胞小器官、有機化合物、毒物、無機化合物などを検出することができる。本デバイスを用いてナノ粒子を検出し、ナノ粒子のサイズを識別することができる。ナノ構造は複数の機能化物質によって機能化することができ、これにより特定の複数被検物を検出することができる。本デバイスを用いて、分離された単一細胞、培養細胞内の単一細胞、細胞の相互作用、単一細胞の微小環境をモニタすることができ、生体内または試験管内の単一細胞膜の化学的動作の空間分解能を提供することができる。
【００３４】
ナノ構造の個別アクセス性により、様々なナノ構造に対して可変信号を送信することができる。これにより、化学物質／ガス／生体分子などの被検物検出のために、複数の電気化学検出技術を同時に用いることができる。同様に、個別アクセス可能ナノ構造に対して異なる信号を適用することにより、容量検出法と電界放出検出技術を用いて、複数被検物を検出できる。ナノ構造の様々な機能化と組み合わせて、デバイスとそのアプリケーションの様々な置換物や変形物を実現できる。
【００３５】
本デバイスは、空間分解能により、表面と被検物の化学的組成を撮像する電気化学カメラとして用いることができる。撮像対象としては、被検物のサイズ、被検物の個数と濃度、被検物の位置、被検物の材質が含まれる。
【００３６】
本デバイスは、被検物の化学的組成とサイズ分布を計測する容量検出法を用いる化学カメラとして利用することができる。撮像対象としては、被検物のサイズ、被検物の個数と濃度、被検物の位置、被検物の材質が含まれる。
【００３７】
本デバイスは、電界放出検出技術を用いることにより、ガス混合物、揮発性物質、爆発物、材料の痕跡、不純物などの化学的組成、およびその濃度を検出するカメラまたは人工鼻として用いることができる。
【００３８】
このように本発明は、意外かつ予想外の用法を有する配置構造とデバイスを提供する。本文書が記載する配置構造とデバイスは進歩的である。カーボンナノチューブなどのナノ材料を用いて、現行技術では実現できない高い化学的分解能と空間分解能で検出を実施できるからである。
【００３９】
ナノ構造デバイス３００をチップホルダと組み合わせて利用することは、独自のものである。デバイスへの電気的コンタクトとともに微小流体素子への電気的コンタクトを提供するからである。これはナノスケールにおいては困難であることが明らかになっている。さらにこのような小スケールにおける測定のノイズレベルは、解消するのが困難であることが明らかになっている。したがって、システムノイズを減少させる独自の方法が求められている。この方法としては以下が含まれるが、これに限らない：システムを封止して蒸発を防ぐ、温度モニタリング、熱的安定性、データ分析を実施するより進歩した電子部品とソフトウェア。ナノ構造は表面積が巨大であり、互いに接近して配置されるので、隣接電極に対して同じ電圧が印加されれば、アレイではなく１つのデバイスとして動作する。さらに、例えば大表面積や優れた電気的特性などのようにナノ構造を非常に感度が優れたものとしている特性は、ノイズをピックアップする感度も非常に高い。したがって、異なるナノ構造に対して異なる電位を印加する特別な電子部品が必要であり、複数センサからのデータを同時分析する強力なソフトウェアが必要である。アレイ内には数十、数百、数千のナノ構造が存在し、全てのデバイスからのデータを同時分析するためには、非常に強力な分析ソフトウェアが必要である。したがって、検出用途でナノ構造アレイデバイスを利用するためには、非常に特殊なチップホルダが必要であるとともに、有用な測定を実施するためのハードウェアとソフトウェアが必要である。従来技術においては、本発明が提供するような配置構造、デバイス、その用法を提供していない。本発明は、多年にわたる実験の結果として適切なセットアップに到達したものであり、複数被検物検出のためにナノ構造デバイスを利用する最適パラメータを得るに至ったものである。さらに従来技術は、ノイズ問題や信号に影響する物理的変更（例：温度や放射線）について想定しておらず解決もしていない。本発明は、これら問題を緩和する実験結果と精度をもって記載されており、これによりシステムは最適動作する。
【００４０】
１側面において本発明は、基板（２０１）上のアレイ内に、個別アクセス可能ナノ構造（２０７）を、少なくとも２個、少なくとも３個、少なくとも４個、少なくとも５個、少なくとも６個、少なくとも７個、少なくとも８個、少なくとも９個、少なくとも１０個、少なくとも１１個、少なくとも１２個、少なくとも１３個、少なくとも１４個、少なくとも１５個、少なくとも１６個、少なくとも１７個、少なくとも１８個、少なくとも１９個、少なくとも２０個、少なくとも２１個、少なくとも２２個、少なくとも２３個、少なくとも２４個、少なくとも２５個、少なくとも２６個、少なくとも２７個、少なくとも２８個、少なくとも２９個、少なくとも３０個、少なくとも３１個、少なくとも３２個、少なくとも３３個、少なくとも３４個、少なくとも３５個、少なくとも３６個、少なくとも３７個、少なくとも３８個、少なくとも３９個、少なくとも４０個、少なくとも４１個、少なくとも４２個、少なくとも４３個、少なくとも４４個、少なくとも４５個、少なくとも４６個、少なくとも４７個、少なくとも４８個、少なくとも４９個、少なくとも５０個、少なくとも６０個、少なくとも７０個、少なくとも８０個、少なくとも９０個、少なくとも１００個、少なくとも２００個、少なくとも３００個、少なくとも４００個、少なくとも５００個、少なくとも１０００個、少なくとも１００，０００個、少なくとも１，０００，０００個、少なくとも１，０００，０００，０００個、あるいはそれ以上備える配置構造を記載している。望ましくは、基板（２０１）は非導電性であり、基板内に導電部（２０８）が存在する。望ましくは、導電部は、アレイ内の個別アクセス可能ナノ構造を形成するナノ構造（２０７）との電気コンタクトを形成する。望ましくは、ナノ構造（２０７）は、第１基板（２０１）の導電部（２０８）を介して、非導電基板（２０１）の第１面（２０２）上の導電パス（４０３）および第２基板（２０９）の導電構造（２１０）と個別接続されている。望ましくは、ナノ構造（２０７）は媒質（３０００）でカバーされており、少なくとも２つのナノ構造（２０７）間に電圧（９００）が印加されると、ナノ構造間に電磁場が生成され、ナノ構造間にキャパシタンス（７００）が形成される。
【００４１】
１側面において本発明は、導電部（２０８）を有する第１非導電基板（２０１）上のアレイ状に配置されたナノ構造（２０７）を備えるデバイス（３００）を記載している。ナノ構造（２０７）は、第１基板（２０１）の導電部（２０８）を介して、導電パス（４０３）および第２基板（２０９）の導電構造（２１０）と個別接続されている。デバイス（３００）は電気化学センサアレイとして用いられ、ナノ構造は液体内の被検物の電気化学検出のためのナノ電極アレイとして動作し、デバイス（３００）は容量検出デバイスとして用いられ、ナノ構造はガス内または液体内の被検物の容量検出のためのナノ電極アレイとして動作し、デバイス（３００）は電界放出ベース検出デバイスとして用いられ、ナノ構造はガス内の被検物の電界放出ベース検出のためのナノ電極アレイとして動作する。
【００４２】
１側面において本発明は、チップホルダデバイスを記載している。チップホルダは少なくとも、ナノ構造アレイデバイス（３００）と、ナノ構造アレイ周辺のガスまたは液体の微小流体素子との電気コンタクトとを提供するとともに、ハードウェアとの外部電気接続を提供する。ハードウェアはデータ取得および信号生成ハードウェアを備え、データ取得は、データ取得／接続ポート、増幅器／アナログ回路、ＡＤＣ、マイクロコントローラ、通信ポータル、を備える。信号生成ハードウェアは、入力設定変数、マイクロコントローラ、デジタルポテンショメータ、増幅器／アナログ回路／バッファ、出力ポート／コネクタ、を備える。
【００４３】
本発明はさらに、データ処理ソフトウェアを包含する。ソフトウェアは、上記デバイス（３００）から生成されたデータを処理することができる。ソフトウェアは、以下の生データ操作処理のうち少なくとも１つを含み、生データをグラフ化し、機械学習アルゴリズムを利用し、新データを学習済データまたはデータベース内のデータと比較し、データの分析出力を生成する。
【００４４】
上述の、ナノ構造アレイ検出デバイス、チップホルダデバイス、データ処理ソフトウェアを備えるシステムは、検出アプリケーションのために利用することができる。
【００４５】
上記システムは、１ｍｍから１オングストロームの被検物のサイズを検出することができる。望ましくは１００ｎｍから１ｎｍ、最も望ましくは１ｎｍから１オングストロームを検出することができる。さらに、電気化学分光法、容量検出法、および電界放出検出法を介して、被検物の化学種検出により化学物質を検出することができる。
【００４６】
上記システムは、電気化学分光検出、容量検出法、または電界放出検出法により、混合物内の被検物の濃度を検出することができる。
【００４７】
上記システムは、高い検出効率で複数被検物を同時検出することができ、複数検出手法、大表面積ナノ電極アレイ、電子部品、ソフトウェアアルゴリズムを用いて、検出を改善することができる。
【００４８】
上記システムは、細胞穿孔、細胞内測定、細胞膜越しの測定、細胞の微小環境、細胞へのダメージなしの化学物質供給、を実施することができる。
【００４９】
上記デバイスは、共有結合機能化、表面吸着、電気化学積層によって機能化されたナノ構造を含み、これにより複数被検物を同時検出する。
【００５０】
上記デバイスは、電気化学分光法、容量検出法、または電界放出検出法を介して、液体内、ガス内、表面上、または膜内の被検物の化学組成を撮像する電気化学カメラとして用いることができる。
【００５１】
特許請求範囲のデバイスとシステムは、電気化学分光法、容量検出法、または電界放出検出法のいずれかまたはこれらの組み合わせを用いて、リアルタイムで複数被検物検出を実施する。
【００５２】
上記デバイスを用いて、分離された単一細胞、培養細胞内の単一細胞、細胞相互作用、単一細胞の微小環境をモニタすることができ、生体内または試験管内の単一細胞膜の化学的活動の高分解能を提供することができる。
【００５３】
特許請求範囲のシステムは、クラウド（リモートコンピュータおよびデータストレージ）と接続してデータ分析を実施できる。
【００５４】
特許請求範囲のデバイスとシステムは、リモートコンピュータ（クラウド）と接続し、複数のシステムとデバイスからのデータを同時分析して複数システムからのデータを比較し、エコシステムのスナップショットを生成することができる。
【００５５】
特許請求範囲のデバイスにおいて、絶縁層内の導電部は光起電性（２０８）であり、材質が光にさらされると電力を生成し、これにより電磁波からエナジーハーベスティングを実施して、自己給電デバイスとして電力を生成できる。
【００５６】
実施形態において、上記およびその他従来技術の観点から、本発明は様々な電気化学分光法技術を介して、複数被検物の電気化学検出のためのナノ電極として、個別アクセス可能ナノ構造アレイを利用する方法を提供する。ナノ構造の材料はカーボンナノチューブを含み、これは優れた電気的、熱的、機械的特性を有する。
【００５７】
実施形態において上記デバイスは、容量検出のために用いることができる。大表面積、小電極サイズ、電極間の小ギャップにより、チャージされるとスーパーキャパシタとして動作するからである。
【００５８】
実施形態において上記デバイスは、電界放出ベース検出デバイスとして用いることができる。これは、カーボンナノチューブ、炭化ケイ素ナノワイヤなどの材料で形成されたナノ構造の良好な電界放出特性によるものである。
【００５９】
実施形態において上記デバイスは、個別アクセス可能電極のナノ構造ベースアレイを有する。ナノ構造アレイはチップホルダと統合され、チップホルダはナノ構造アレイに対する電気的接続を提供するとともに、固体、液体、またはガスがナノ構造アレイと接触し相互作用する微小流体素子を提供する。
【００６０】
実施形態においてチップホルダはハードウェアを備え、ハードウェアは複数チャネルポテンショスタットとして動作する。ポテンショスタットは、信号を生成し、ナノ構造アレイからデータを取得し、これを有線または無線でソフトウェアへ送信する。
【００６１】
実施形態において、デバイスはソフトウェアを備え、ソフトウェアはリアルタイムでデータを受信およびグラフ化し、データを分析し、レポートを提供する。
【００６２】
実施形態においてソフトウェアは、機械学習と人工知能アルゴリズムを実施し、ナノ構造アレイからのデータを正確に分析する。
【００６３】
実施形態において、ナノ構造アレイは一定電荷または可変電荷でチャージされる。この個別アクセス可能ナノ構造は、容量検出のための独自のセンサとして利用することができる。
【００６４】
実施形態において、各ナノ構造は５００ｎｍ２ベースサイズを有し、カーボンナノチューブ、ナノファイバ、ナノロッドを含むナノ材料から形成されているが、これに限るものではない。各ナノ材料要素間の距離（ナノチューブの場合はナノ構造内の各ナノチューブ）は５ｎｍである。２つのナノ構造は互いに５００ｎｍ離れている。ナノ構造は“＋電荷”でチャージされる。
【００６５】
実施形態において、ナノ材料と媒質（３０００）内の外部電極間に電圧が印加される。ナノ構造を有していない上部電極に適している材料は、透明無機材料および有機導電材料であり、以下から選択することができるがこれに限らない：ＩＴＯ（酸化インジウムスズ）、ＡＴＯ（アンチモン酸化スズ）、酸化スズ、ＰＥＤＯＴ、その他導電ポリマ、カーボンナノチューブ、金属ナノワイヤ浸漬および複合材料。
【００６６】
実施形態において、ナノ構造は以下から構成されるが、これに限るものではない：カーボンナノチューブ、カーボンナノファイバ、酸化亜鉛ナノロッド、シリコンナノワイヤ、その他ナノ材料。
【００６７】
実施形態において、ナノ構造は電力と信号処理ソフトウェアのための外部電気回路と接続して、媒質（３０００）内の被検物の空間分解能を得ることができる。
【００６８】
実施形態において、ナノ構造は様々な化学物質によって機能化して検出能力を向上させることができる。
【００６９】
実施形態において、媒質材料は以下から選択されるがこれに限るものではない：空気、溶液、液体、ポリマ、セラミクス、オイル、シリコーン、石英、雲母、テフロン、ストロンチウム、バッファ溶液、真空。
【００７０】
実施形態において、媒質は誘電性であり、印加電場によって分極される電気絶縁体として機能する。これは、誘電材料が絶縁材料または電流をほとんど通さないことを意味する。誘電材料が電場内に置かれたとき、誘電材料に電流は流れない。材料内をドリフトする弱結合電子または自由電子を有していないからである。代わりに電気分極が生じる。
【００７１】
実施形態においてナノ構造は、基板上に形成することができる。これは、基板上のパターン化エリア内で金属触媒を蒸発させることによる。パターン化は、リソグラフィ、遠紫外線リソグラフィ、電子ビームリソグラフィなどによる。その後に化学蒸着積層を実施して、触媒が積層されていた箇所にナノ材料を成長させる。
【００７２】
実施形態において、外部電極の材料は以下から選択されるが、これに限るものではない：金属、導電ポリマ、銅、プラチナ、チタニウム、導電エポキシ、銀ペイント、ＩＴＯ（酸化インジウムスズ）、ＡＴＯ（アンチモン酸化スズ）、酸化スズ、ＰＥＤＯＴ、その他導電ポリマ、カーボンナノチューブ、金属ナノワイヤ浸漬および複合材料、銀／塩化銀基準電極。
【００７３】
実施形態において、基板は以下から選択されるが、これに限るものではない：ポリマ、シリコーン、ポリアミドなどのフレキシブル基板。
【００７４】
実施形態において、基板は以下から選択されるが、これに限るものではない：ケイ素または二酸化ケイ素などの剛性基板。
【００７５】
実施形態において、基板は以下から選択されるが、これに限るものではない：ポリマフィルム上の剛性およびフレキシブルシリコンアイランドの組み合わせを、金属小ワイヤまたは薄膜などの金属コンタクトと接続する。
【００７６】
実施形態において、上記デバイスを電気化学カメラとして用いて、空間分解能により、表面と被検物の化学的組成を撮像することができる。
【００７７】
実施形態において、被検物の化学的組成とサイズ分布を計測する容量検出法を用いて、上記デバイスを化学カメラとして利用することができる。
【００７８】
実施形態において、電界放出検出技術を用いて、上記デバイスはガス混合物の化学的組成とその濃度を計測するカメラまたは人工鼻として用いることができる。
【００７９】
実施形態において、上記システムはクラウド（リモートコンピュータおよびデータストレージ）と接続してデータ分析を実施することができる。
【００８０】
実施形態において、上記デバイスとシステムは、リモートコンピュータ（クラウド）と接続し、複数のシステムおよびデバイスからのデータを同時分析して複数システムからのデータを比較し、エコシステムのスナップショットを生成することができる。
【００８１】
実施形態において、上記デバイスの絶縁層における導電部は光起電性（２０８）であり、材質が光にさらされると電力を生成し、これにより電磁場からエナジーハーベスティングを実施して、自己給電デバイスの電力を得ることができる。
【００８２】
実施形態において、ハードウェア（４４０２）は以下の電子部品を備えるがこれに限るものではない：電子回路、増幅器、トランジスタ、ダイオード、抵抗器、キャパシタ、マイクロコントローラ、インダクタ、データ取得電子部品、信号生成電子部品。
【００８３】
実施形態において、ハードウェア（４４０２）はデータ取得電子部品を備え、データ取得は、データ取得接続ポート、増幅器、アナログ回路、アナログ−デジタルコンバータ（ＡＤＣ）、マイクロコントローラ、通信ポータルを備え、信号生成ハードウェアは、入力設定変数、マイクロコントローラ、デジタルポテンショメータ、増幅器、アナログ回路、バッファ、出力ポート、コネクタ、を備える。
【００８４】
他実施形態において、ソフトウェア（４４０３）は以下を備えるがこれに限るものではない：生データ操作のアルゴリズムおよび／または処理、生データのグラフ化、機械学習アルゴリズムと人工知能アルゴリズムの利用、新データを学習済データまたはデータベース内のデータと比較してデバイス（３０００）が生成したデータの分析結果を出力する。
【００８５】
実施形態において、ナノ構造（２０７）はナノ材料から形成されており、ナノ材料は以下を含むがこれに限るものではない：ナノチューブ、ナノワイヤ、ナノロッド、カーボンナノチューブ、カーボンナノファイバ、グラフェン、シリコンナノワイヤ、酸化亜鉛ナノロッド、複合材料、など。
【００８６】
実施形態において、アレイ内の個別アクセス可能ナノ構造は、少なくとも２つのナノ構造を有する。アレイ内のナノ構造の範囲は可変であり、例えば以下を含む：少なくとも２個、少なくとも３個、少なくとも４個、少なくとも５個、少なくとも６個、少なくとも７個、少なくとも８個、少なくとも９個、少なくとも１０個、少なくとも１１個、少なくとも１２個、少なくとも１３個、少なくとも１４個、少なくとも１５個、少なくとも１６個、少なくとも１７個、少なくとも１８個、少なくとも１９個、少なくとも２０個、少なくとも２１個、少なくとも２２個、少なくとも２３個、少なくとも２４個、少なくとも２５個、少なくとも２６個、少なくとも２７個、少なくとも２８個、少なくとも２９個、少なくとも３０個、少なくとも３１個、少なくとも３２個、少なくとも３３個、少なくとも３４個、少なくとも３５個、少なくとも３６個、少なくとも３７個、少なくとも３８個、少なくとも３９個、少なくとも４０個、少なくとも４１個、少なくとも４２個、少なくとも４３個、少なくとも４４個、少なくとも４５個、少なくとも４６個、少なくとも４７個、少なくとも４８個、少なくとも４９個、少なくとも５０個、少なくとも６０個、少なくとも７０個、少なくとも８０個、少なくとも９０個、少なくとも１００個、少なくとも２００個、少なくとも３００個、少なくとも４００個、少なくとも５００個、少なくとも１０００個、少なくとも１００，０００個、少なくとも１，０００，０００個、少なくとも１，０００，０００，０００個、あるいはそれ以上。
【００８７】
実施形態において、検出アプリケーションのために２つのナノ構造のみ設けてもよい。
【００８８】
他実施形態において、１０，０００，０００個のナノ構造を用いて、長さ３００ｍｍの表面をスキャンする。
【００８９】
他実施形態において、１０，０００個のナノ構造を用いて、電気化学または容量インピーダンススペクトロスコーピーを測定して、細胞の培養をモニタする。
【００９０】
他実施形態においてナノ材料は、厚さサブミクロンの要素配置によって形成された材料であり、化合物は以下を含むがこれに限るものではない：ナノチューブ、ナノロッド、ナノワイヤ、２Ｄ材料。より具体的には以下を含むがこれに限らない：グラフェン、カーボンナノチューブ、シリコンナノワイヤ、など。
【００９１】
実施形態において、アレイ内のナノ構造は、ベースエリア、高さ、およびナノ構造間距離を有する。
【００９２】
他実施形態においてナノ構造は、それぞれ個別のベースエリア、高さ、およびナノ構造内のナノ材料間距離を有するナノ材料で形成されている。
【００９３】
実施形態において、ナノ構造は媒質（３０００）でカバーされ、媒質（３０００）はナノ構造の高さより少なくとも１ｎｍ〜５００，０００μｍ厚い。
【００９４】
実施形態において、上記システムを用いて細胞を検出しまたは操作する方法を記載する。
【００９５】
実施形態において、上記デバイスを用いて細胞を操作し、細胞操作は細胞穿孔を含み、ナノ構造（２０７）を用いて細胞膜（１４０１）に対して電荷を供給し、電荷を供給するために用いたナノ構造（２０７）の特定場所において細胞膜が開口（１４０４）する。
【００９６】
実施形態において、細胞内および細胞周辺の化学物質と被検物を検出し、化学物質と被検物の検出は、電気化学技術、容量技術、および電界放出技術を用いた、細胞内被検物計測、細胞膜越しの電位および被検物測定、細胞の微小環境内における被検物計測、を含む。
【００９７】
実施形態において、上記デバイスの機能化ナノ構造（５２０７）を用いて、電気穿孔による細胞ダメージなしで細胞内に化学物質を供給し、ナノ構造の機能化グループを細胞内に供給する。
【００９８】
実施形態において、上記デバイスを用いた細胞モニタリングは、電気化学検出、容量検出、電界放出検出を用いて、移動する細胞のモニタリングを含み、化学物質と被検物の排出および収取のモニタリングを含む。細胞は、媒質（３０００）内で分離された単一細胞であり、媒質内で培養されている細胞内の単一細胞であり、他細胞と相互作用する細胞である。
【００９９】
実施形態において、上記デバイスを用いた細胞検出は、化学物質と被検物の検出を含み、化学物質と被検物は媒質（３０００）内の単一細胞の微小環境内に存在するものであり、個別アクセス可能ナノ構造を用いて単一細胞膜の化学的活動を空間分解能で検出し、細胞は生体内または試験管内のものである。
【０１００】
実施形態において上記デバイスは、固体表面上、液体溶液内、またはガス内の化学物質を検出する複数被検物検出システムとして用いられる。
【０１０１】
実施形態において、上記デバイスを用いて、分子、イオン、ＤＮＡ、ＲＮＡ、タンパク質、有機化合物、無機化合物を検出する。
【０１０２】
実施形態において、上記デバイスを用いてナノ粒子を検出し、ナノ粒子のサイズを識別し、ナノ粒子の空間位置を識別し、ナノ粒子の材料を識別し、ナノ粒子の濃度／個数を識別する。
【０１０３】
実施形態において、ナノ構造は複数の機能化材料によって機能化され、これにより複数被検物を特定的に検出する。
【０１０４】
実施形態において、上記デバイスを用いて、分離された単一細胞、培養細胞内の単一細胞、細胞相互作用、単一細胞の微小環境をモニタし、生体内または試験管内の単一細胞膜の化学的活動の空間分解能を提供する。
【０１０５】
実施形態において、ナノ構造が個別アクセス可能であることにより、可変信号を様々なナノ構造に対して送信し、複数の電気化学検出技術、容量検出技術、電界放出検出技術を同時に用いて、被検物を検出できる。
【０１０６】
同様に実施形態において、個別アクセス可能ナノ構造に対して異なる信号を適用することにより、電気化学分光法、容量検出法、電界放出検出法を用いて、複数被検物を検出することができる。
【０１０７】
同様に実施形態において、個別アクセス可能ナノ構造に対して異なる信号を適用することにより、電気化学分光技術、容量検出技術、電界放出検出技術を用いて、複数被検物を検出することができる。
【０１０８】
実施形態において、ナノ構造上の様々な機能化と組み合わせて、デバイスおよびアプリケーションの多くの置換物と変形物を実現できる。
【０１０９】
実施形態において、上記デバイスを用いた複数被検物検出は、上記システムを用いて実現される。
【０１１０】
実施形態において、上記デバイスを用いた複数被検物検出は同時実施される。複数被検物は、１以上、２以上、３以上、４以上、５以上、６以上、７以上、８以上、９以上、１０以上、１１以上、１２以上、１３以上、１４以上、１５以上、１６以上、１７以上、１８以上、１９以上、２０以上、３０以上、４０以上、５０以上、６０以上、７０以上、８０以上、９０以上、１００以上、２００以上、３００以上、４００以上、５００以上、さらには無限個数の被検物である。
【０１１１】
実施形態において、上記デバイスを用いた複数被検物検出はリアルタイムで実施される。
【０１１２】
実施形態において、上記デバイスを用いた検出は、電気化学分光法、容量検出、電界放出検出のうち１以上を用いて実施される。
【０１１３】
実施形態において、上記デバイスを用いて被検物のサイズを判定する。
【０１１４】
実施形態において、上記デバイスを用いて被検物の濃度を検出する。
【０１１５】
実施形態において、上記デバイスを備えるシステムはさらに、リモートコンピュータおよびデータストレージを備える。
【０１１６】
実施形態において、電気穿孔を用いて化学物質が細胞内に供給される。
【０１１７】
実施形態において、ナノ構造の機能化グループが細胞と接すると、化学物質が細胞内に供給される。
【０１１８】
実施形態において、機能化ナノ構造に対して小電荷が印加されると、化学物質が細胞に対して供給され、機能化グループはナノ構造から分離して細胞により吸収される。
【０１１９】
実施形態において、ナノ構造が細胞に対して供給した電荷により、細胞が操作される。
【０１２０】
実施形態において、ナノ構造を機能化するために用いた機能グループにより、細胞が操作される。
【０１２１】
実施形態において、チップホルダ内の微小流体素子を用いて細胞に対して供給された刺激と化学物質により、細胞が操作される。
【０１２２】
実施形態において、電荷、化学物質、熱、光などの外部刺激に対して反応するとき、細胞が操作される。
【０１２３】
実施形態において、媒質内で細胞の動きをモニタする。
【０１２４】
実施形態において、媒質内で細胞の分離をモニタする。
【０１２５】
実施形態において、媒質内で幹細胞の形質転換をモニタする。
【０１２６】
実施形態において、媒質内で細胞が分泌した化学物質をモニタする。
【０１２７】
実施形態において、媒質内で細胞が吸収／収取した化学物質をモニタする。
【０１２８】
実施形態において、媒質内で細胞の動きを検出する。
【０１２９】
実施形態において、媒質内で細胞の分離を検出する。
【０１３０】
実施形態において、媒質内で幹細胞の形質転換を検出する。
【０１３１】
実施形態において、媒質内で細胞が分泌した化学物質を検出する。
【０１３２】
実施形態において、媒質内で細胞が吸収／収取した化学物質を検出する。
【０１３３】
実施形態において、システム（４０００）は高効率検出を実施して、複数被検物を同時検出することができる。
【０１３４】
実施形態において、システム（４０００）は複数の検出法を利用する。
【０１３５】
実施形態において、システム（４０００）は大面積ナノ構造を電極アレイとして利用する。
【０１３６】
実施形態において、システム（４０００）はハードウェアおよび高感度電子部品を利用して、高精度計測と高い信号対ノイズ比計測を実施する。
【０１３７】
実施形態において、システム（４０００）はソフトウェアアルゴリズムを用いて検出を改善する。
【０１３８】
＜利点＞
本発明の様々な側面と実施形態について記載した。以下は本発明が実現する利点の例である：
１：上記デバイスとシステムは、複数被検物検出をリアルタイムで同時実施できる
２：上記デバイスとシステムは化学カメラとして動作する
３：上記デバイスとシステムは化学（ガス）検出の人工鼻として動作する
４：上記デバイスとシステムは、分離した単一細胞、培養細胞内の単一細胞、細胞相互作用、単一細胞の微小環境をモニタすることができ、生体内または試験管内の単一細胞の化学的活動の空間分解能を提供する
５：上記デバイスとシステムは、可搬性がよく、携帯でき、頑丈で、エネルギー消費が小さい
６：上記デバイスとシステムは、パッシブセンサを有し、したがって電力消費が非常に小さい
８：試験実施のため必要なサンプル量は、センササイズと正比例し、デバイスは小型なので（サブミクロンから数十ナノメートル）、コストが高いかまたは大量に得ることができないごくわずかなサンプルから複数被検物検出を実施できる
９：上記デバイスとシステムは、ナノ粒子などの被検物の化学物質検出とサイズ検出を実施することができ、これとともに被検物の濃度／個数、材料、空間位置を検出することができる
１０：上記システムは、クラウドネットワークに接続してコンピュータ分析とデータ蓄積を実施できる
１１：上記システムは、複数システムとシステムに接続された複数デバイスからのデータに対して計算を実施でき、人口の統計的研究のために利用することができる
１２：ナノ構造（カーボンナノチューブベース）と上部電極により高電場を得られる
１３：パッシブデバイスであるのでデバイス動作による電力消費が小さい
１４：これにより設計が柔軟である
１５：データが同一場所の多数のセンサから収集されるので（他技術は１センサのみであるのに対して本発明は同じエリアに複数センサをパックすることができる）、分解能が増加し、異常データ点を除去するスマートアルゴリズムにより偽信号を防ぐことができる
１６：超高感度キャパシタンスベース指紋センサを実現できる
１７：サブミクロンレベルにおける気圧の空間分解能を検出してマッピングできる
１８：厚さ範囲１００〜１０００マイクロメートルのスタンドアロン小型デバイスを利用できる
１９：デバイスをフレキシブル基板に統合できる。
【０１３９】
適当な等価物を用いて、本発明の範囲または実施形態から逸脱することなく、本発明の配置構造、デバイス、方法のその他適当な変形物と適合物を実現できることを、当業者は容易に理解するであろう。本発明を詳細に説明したが、以下の実施例を参照することにより、本発明をさらに明確に理解することができるであろう。実施例は、説明目的のみのものであり、本発明を限定するためのものではない。
【０１４０】
＜実施例＞
以下は本発明のデバイス、システム、アプリケーションの実施例である。
【０１４１】
実施例においてナノ構造は、カーボンナノチューブ、シリコンナノワイヤ、酸化亜鉛ナノロッド、酸化ケイ素ナノワイヤ、カーボンナノファイバにより形成することができる。実施例において、ナノ構造のサイズは１マイクロメートルから１ナノメートルである。実施例においてチップホルダは、腐食性化学物質に耐性を有するプラスチックまたは金属で形成することができる。実施例においてチップホルダは、チップ収容ナノ構造デバイスと接続するポゴピンを有する。
【０１４２】
実施例においてハードウェアは、信号生成およびデータ取得システムとして、マルチチャネルポテンショスタットを有する。実施例においてソフトウェアは、スタンドアロン電子部品上、コンピュータ上、ラップトップ上、モバイル電子部品上、またはクラウドコンピュータシステム上で動作する。実施例においてソフトウェアは、機械学習アルゴリズムおよび／または人工知能アルゴリズムを有し、これを用いてデータ分析を実施する。
【０１４３】
実施例において、細胞はナノ構造の上部の媒質内に配置される、細胞は任意タイプの細胞でよく、特定の実施例においては人間被検体の細胞である。実施例において細胞は幹細胞である。幹細胞は、ナノ構造の上部の媒質内に配置される。例えば幹細胞はナノ構造の上部の媒質内に配置され、電気化学インピーダンススペクトロスコーピーを用いて、幹細胞から骨細胞への形質転換をモニタする。
【０１４４】
実施例において、健常骨細胞をナノ構造の上部の媒質内に配置する。実施例において、健常骨細胞をナノ構造の上部の媒質内に配置して放射線にさらし、ナノ構造を容量トモグラフィセンサとして用いて、骨細胞が健常細胞から癌細胞へ形質転換するのをモニタする。
【０１４５】
実施例において、隣接するナノ構造間に電圧を印加し、これにより空気中に電解放出電流が生じる。実施例において、隣接するナノ構造間に電圧を印加し、これにより空気中に電解放出電流が生じ、ナノ構造は人間の息にさらされる。人間の息に異なる濃度のガスが存在するとともに、水蒸気が電界放出電流を変化させると、ハードウェアとナノ構造デバイスに接続されたソフトウェアがこれを検出する。
【０１４６】
実施例において、少なくとも２つの隣接するナノ構造間に印加される電圧は、ＤＣ電圧である。実施例において、少なくとも２つの隣接するナノ構造間に印加される電圧は、ＡＣ電圧である。実施例において、少なくとも２つの隣接するナノ構造間に印加される電圧は、約１０Ｖから−１０Ｖである。少なくとも２つの隣接するナノ構造間に印加される電圧は、約５Ｖから−５Ｖである。少なくとも２つの隣接するナノ構造間に印加される電圧は、約１Ｖから−１Ｖである。少なくとも２つの隣接するナノ構造間に印加される電圧は、約１ｍＶから−１ｍＶである。少なくとも２つの隣接するナノ構造間に印加される電圧の周波数は、約０．０１Ｈｚから１００ＭＨｚである。
【０１４７】
図１は、ＷＯ２０１３００１０７６が記載しているナノ構造アレイを製造する方法であり、参照によりその全体が本願に組み込まれる。
【０１４８】
図２は、ＷＯ２０１３００１０７６が記載しているナノ構造アレイ製造ステップを示す。図２ａにおいて、２０１は非導電基板であり、表面２０２と２０３を有する。図２ｂにおいて、２０４は金属スタックであり、２０５は導電金属であり、２０６は基板２０１の面２０２上に配置された触媒である。図２ｃにおいて、２０７はナノ構造であり、２０８は基板２０１に形成された導電部である。図２ｄにおいて、２０９は第２非導電基板であり、導電部２１０を有する。導電部２１０は、基板２０１の面２０３において、導電部２０８との電気コンタクトを提供する。
【０１４９】
図３は、デバイス３００を示す。ＷＯ２０１３００１０７６が記載しているように、デバイス３００は、非導電基板２０１の表面２０２上のナノ構造２０７、導電部２０８、第２非導電基板（２０９）、第１非導電基板２０１の表面２０３上の導電部２１０、を備える。
【０１５０】
図４は、ＷＯ２０１３００１０７６が記載しているデバイス４１０、４１１、４１２の実施形態を示す。図４ａにおいて、ナノ構造２０７は、非導電基板２０１の導電部２０８を介して、導電構造２１０と接続されている。図４ｂにおいて、ナノ構造２０７は、容量結合により、非導電基板２０１の導電部２０８を介して、導電構造２１０と接続されている。図４ｃにおいて、ナノ構造２０７は、非導電基板２０１の導電部２０８を介して導電構造２１０と接続され、第２導電部４０３はナノ構造２０７の第２コンタクト経路を提供する。
【０１５１】
図５は、デバイス４１２をより詳細に示す。ナノ構造２０７は非導電基板２０１の導電部２０８を介して導電構造２１０と接続され、第２導電部４０３はナノ構造２０７の第２コンタクト経路を提供する。
【０１５２】
図６は、システム（４０００）の要件のフローチャートを示す。要件はこれに限定されるものではない。要件は、チップホルダ（４４０１）、ハードウェア（４４０２）、ソフトウェア（４４０３）を含み、これによりナノ構造ベースデバイス（３００）を電気化学センサ、容量センサ、電界放出ベースセンサとして利用することができる。システム（４０００）は、チップホルダ（４４０１）を必要とする。チップホルダ（４４０１）は少なくとも、ナノ構造アレイに電気接続（４４１１）を提供するとともに、固体、液体、ガスとの相互作用のための微小流体素子（４４２１）を提供し、ハードウェア（４４０２）の外部電気接続（４４３１）を提供する。ハードウェア（４４３１）は、データ取得および信号生成ハードウェアを備え、データ取得は、データ取得および接続ポート、増幅器およびアナログ回路、ＡＤＣ、マイクロコントローラ、通信ポータル、を備えるが、これに限るものではない。ハードウェア（４４０２）は信号生成器を備えるが、これに限るものではない。信号生成ハードウェアは、入力設定変数、マイクロコントローラ、デジタルポテンショメータ、増幅器、アナログ回路、バッファ、出力ポート、無線通信ハードウェア、コネクタ、を備えるが、これに限るものではない。データ処理ソフトウェア（４４０３）は、生データ、グラフ化した生データ、機械学習アルゴリズム、学習済データまたはデータベースとの比較、分析出力、を備えるが、これに限るものではない。ソフトウェアは、コンピュータ上またはモバイル電子デバイス上またはスタンドアロン電子部品上で動作することができる。
【０１５３】
図７は、デバイス（３００）を様々な形式で示す。ナノ構造（２０７）を有するデバイス（４１２）を示す。ナノ構造（２０７）は、非導電基板（２０９）の導電部（２０８）に接続されている。非導電基板（２０９）は導電部（２１０）を有し、導電部（２１０）は導電部（２０８）と接続されている。ナノ構造（２０７）は高さ（２２２０）とベースサイズ（２２１０）を有する。ナノ構造（２０７）はナノ材料（２２０３）で形成されており、ナノ材料（２２０３）は高さ（２２１１）とベースサイズ（２２１２）を有する。ナノ構造（２０７）間のギャップは（８００）であり、ナノ材料間のギャップは（２２１３）である。ナノ構造は異なる電荷で個別にチャージすることができ、この電荷は正電荷または負電荷である。
【０１５４】
図８は、個別アクセス可能ナノ構造（２０７）のアレイとデバイス（３００）を示す。各ナノ構造はセンサまたは電極として動作し、ナノ構造（２０７）は取り付けられた機能グループ（５０１）で機能化される。機能化ナノ構造（５２０７）。各ナノ構造は、基板の導電部（２０８）によって非導電基板（２０１）に接続されている。ナノ構造の先端のナノ粒子（５０３）は、触媒（２０６）の材料で形成されている。
【０１５５】
図９は、媒質（３０００）内のナノ構造アレイ（２０７）の断面図と上面図を示す。媒質（３０００）は触媒（６００）を含む。ナノ構造は検出アプリケーションのためにチャージされ、ナノ構造間にキャパシタンス（７００）が形成されている。
【０１５６】
図１０は、システム（４０００）の例を示す。ナノ構造アレイベースデバイス（３００）はチップホルダ（４４０１）内に配置され、チップホルダ（４４０１）は電気コンタクト（４４１１）と微小流体素子（４４２１）を有する。チップホルダは、電気的接続（４４３１）を介してハードウェア（４４０２）と接続される。ハードウェア（４４０２）は信号を提供し、ナノ構造アレイベースデバイス（３００）からデータを取得する。ハードウェア（４４０２）はコンピュータまたはモバイルデバイスと接続され、ソフトウェア（４４０３）はデータを分析してレポートを提供する。
【０１５７】
図１１は、システム（４０００）の例と現実世界の形態を示す。ナノ構造アレイベースデバイス（３００）はチップホルダ（４４０１）内に配置され、チップホルダ（４４０１）は電気コンタクト（４４１１）と微小流体素子（４４２１）を有する。チップホルダは電気的接続（４４３１）を介してハードウェア（４４０２）と接続される。ハードウェア（４４０２）は信号を提供し、ナノ構造アレイベースデバイス（３００）からデータを取得する。ハードウェア（４４０２）はコンピュータまたはモバイルデバイスと接続され、ソフトウェア（４４０３）はデータを分析してレポートを提供する。
【０１５８】
図１２は、電気化学センサまたは容量センサまたは電界放出センサアレイなどのセンサとして用いられるナノ構造（２０７）アレイを示す。ハードウェア（４４０２）を用いて、センサアレイが必要な信号を生成し受信することができる。ハードウェア（４４０２）は例えば電気化学分光法におけるポテンショスタットだが、これに限るものではない。ソフトウェア（４４０３）は各ナノ構造からの信号を利用して、媒質（３０００）内の被検物の電気化学ベース画像、容量ベース画像、または電界放出ベース画像を生成する。各個別アクセス可能ナノ構造（２０７）は、画像の単一ピクセルとして動作する。ナノ構造は、電気化学分光プロセス、容量検出、または電界放出検出における電極として動作する。外部電極（７０１）は、電気化学検出などの例において用いられ、（７０１）は３電極計測におけるカウンタ電極または基準電極またはこれら双方である。個別アクセス可能ナノ構造（２０７）全ては、カウンタ電極や基準電極としての共有外部電極（７０１）とともに動作する。
【０１５９】
図１３は、導電部（２０８）を有する非導電基板（２０１）上のナノ構造（２０７）の配置構造を示す。導電部（２０８）は、非導電基板（２０９）の導電部（２１０）への接続である。ナノ構造（２０７）は、被検物（６００）を含む媒質（３０００）でカバーされている。ナノ構造間および媒質（３０００）内の外部電極（７０１）に電圧（９００）が印加されると、荷電物質（８００）が対向する荷電ナノ構造または外部電極へ向かって流れる。この方法を用いて、溶液内の材質の電気化学検出を実施できる。さらに、Ｗａｑａｓ等の特許［２］が記載している基板上で成長したナノ構造の機能化方法を用いる。図１３の配置構造を用いて、電気的重合によりナノ構造を機能化することができる。機能化が必要なナノ構造に対して電位を印加し、この配置構造において電極として用いるその他の個別アクセス可能ナノ構造に対して反対極性の電荷を印加し、これにより非特異的結合を防ぎ、関心のあるナノ構造のみを確実に機能化する。図１３の配置構造を用いて、表面吸着（機能化酵素その他溶液内の化学物質に対してナノ構造を浸漬する）によりナノ構造を機能化することができる。タンパク質、抗体、酵素を用いて、本方法によりナノ構造を機能化することができる。別のナノ構造は別の方法で機能化することができる。したがって全ての技術を用いて、複数被検物の電気化学分光検出を同時実施できる。
【０１６０】
図１４は、細胞アプリケーションにおいて、図１２で説明した電気化学センサデバイスの動作原理の詳細を示す。媒質（３０００）内の機能化ナノ構造（５２０７）アレイ上の単一細胞の断面図を示す。ナノ構造（２０７）は非導電基板（２０１）上に配置されている。細胞を操作するため、ナノ構造の１つに対して正電荷を印加し、特定位置の電気穿孔（１４０４）によって細胞膜（１４０１）が開口する。これにより流体が細胞内に流れ、電荷が印加されたナノ構造の位置において細胞から流れ出て媒質（３０００）と混合する。これにより被検物（６００）が細胞内に供給されてナノ構造と接近し、電気化学分光法により検出することができる。さらに、電気穿孔箇所に隣接するナノ構造を用いて、図１４において星（６００）で示すように、化学信号を収集することができる。この方法を用いて、ナノ構造の機能化グループと細胞内分子の相互作用が実現される。各ナノ構造に対して印加する電圧を制御することにより、細胞表面の画像を電気化学的に生成することができる。この技術を用いて、例えば細胞の移動や分離などの様々な細胞可動をモニタすることができる。したがって図１４は、細胞を操作し、挙動をモニタし、細胞内外の媒質内の細胞膜近傍の微小環境における様々な化学物質を検出する方法を示している。本方法のアプリケーションを用いて、癌を検出し、癌の非常に初期の段階において細胞表面上の化学物質の影響をモニタすることができる。本方法を用いて、アルツハイマー病およびパーキンソン病に影響されるニューロン退化をモニタすることができる。さらに、幹細胞が血球や骨細胞などに形質転換する前に、幹細胞微小環境において生じる特定の化学的変化をモニタし検出することができる。
【０１６１】
図１５は、様々なナノ構造アレイサイズの走査電子顕微鏡（ＳＥＭ）マイクログラフを示す。ナノ構造の長さは、ナノ構造のベースサイズとともに制御することができる。図１５ａｂは、ナノ構造（２０７）アレイとともに、二酸化ケイ素フィルムに埋没させた導電部（２１０）を示す。ナノ構造はベースサイズ５００ｎｍ２であり、ナノ材料で形成されている。本例においてはカーボンナノチューブである。カーボンナノチューブは、高さ５００ｎｍから数ミクロンである。図１５ａにおいて上部金属コンタクト（４０３）を見ることができる。図１５ａ〜ｉは、ナノ構造（２０７）アレイの様々な実際の形状およびサイズを示す。マイクログラフは、ナノ構造の３２×６アレイ（図１５ｃとｆ）を示す。他図はナノ構造の拡大図を示す。図１５ｊ〜ｍは、カーボンナノチューブで形成されたナノ構造のより長いベースラインを示す。ナノチューブは高さ数百ミクロンである。図１５ｎ〜０は、ナノ構造の複合配置を示す。ナノ構造は様々なベースサイズと長さを有する。したがって図１５は、ナノ構造ベースアレイデバイスの様々な形態を示している。
【０１６２】
図１６は、酸化亜鉛ナノロッド（５２０７）で機能化されたカーボンナノチューブベースナノ構造のマイクログラフを示す。図１６ｄは、大量の酸化亜鉛ナノロッドで機能化されたカーボンナノチューブで形成されたナノ構造の上面図（１６０１）を示す。図１６ｅは、カーボンナノチューブで形成されているナノ構造の側壁（１６０２）を示し、機能化は疎である。
【０１６３】
図１７は、ナノ構造アレイ（２０７）の断面図を示す。ナノ構造はチャージされ、検出アプリケーションのためにキャパシタンス（７００）がナノ構造間に形成されている。電圧印加の結果として、隣接ナノ構造間で電界放出が生じ、電子がナノ構造間で移動する。ガスがナノ構造を通過するとき、ガスがイオン化され、電界放出電流を変化させる。ハードウェア（４４０２）とソフトウェア（４４０３）を用いて、この変化を検出することができる。これは、ナノ構造（２０７）間の電界放出を用いるナノ構造アレイベースデバイスの利用例であり、これにより空気媒質（３０００）内の被検物（６００）としてガスの存在を検出する。
【０１６４】
図１８は、電界放出ベース検出デバイスとしてカーボンナノチューブ（ＣＮＴ）で形成されたナノ構造アレイを用いて息を検出した結果のグラフを示す。２つの隣接ナノ構造間に電圧が印加され、電流（電界放出電流）が測定される。矢印（１９０１）は、ＣＮＴナノ構造が人の息にさらされた時刻を示す。矢印（１９０２）は、人の息にさらされなくなった時刻を示す。ナノ構造が人の息にさらされたとき、ナノ構造間の電界放出電流（ｙ軸）が増加している。したがって、この技術を用いてガスを検出できる。
【０１６５】
図１９は、電界放出ベース検出デバイスとしてカーボンナノチューブ（ＣＮＴ）で形成されたナノ構造アレイを用いて息を検出した結果の別グラフを示す。２つの隣接ナノ構造間に電圧が印加され、電流（電界放出電流）が測定される。矢印（１９０１）は、ＣＮＴナノ構造が人の息にさらされた時刻を示す。矢印（１９０２）は、人の息にさらされなくなった時刻を示す。ナノ構造が人の息にさらされたとき、ナノ構造間の電界放出電流（ｙ軸）が増加している。したがって、この技術を用いてガスを検出できる。
【図１】
2019514022.tif 000002
【図２】
2019514022.tif 000003
【図３】
2019514022.tif 000004
【図４】
2019514022.tif 000005
【図５】
2019514022.tif 000006
【図６】
2019514022.tif 000007
【図７】
2019514022.tif 000008
【図８】
2019514022.tif 000009
【図９】
2019514022.tif 000010
【図１０】
2019514022.tif 000011
【図１１】
2019514022.tif 000012
【図１２】
2019514022.tif 000013
【図１３】
2019514022.tif 000014
【図１４】
2019514022.tif 000015
【図１５Ａ】
2019514022.tif 000016
【図１５Ｂ】
2019514022.tif 000017
【図１６】
2019514022.tif 000018
【図１７】
2019514022.tif 000019
【図１８】
2019514022.tif 000020
【図１９】
2019514022.tif 000021
【国際調査報告】
2019514022.tif 000022
2019514022.tif 000023